(57)【要約】      （修正有）【課題】解剖実習時に剖検者が、常に８０ｐｐｂ以下のホルムアルデヒドガス濃度の下で解剖を遂行できる、解剖台のホルムアルデヒド局所排気システムを提供すること。【解決手段】解剖台１の四周内側に設けた吸気開口に吸込みボックス３の吸気口を臨ませまた、前記吸込みボックスの排気側をダクト４を介して集合吸気ボックス５の吸気側に接続しさらに、前記集合吸気ボックスの排気側をフレキシブルダクト７を介して排気ブロワに接続するとともに、解剖台の四周に、少なくとも被剖検体の鉛直方向寸法最大値の高さを有し、弾性変形能を有して術者の両手の動きに応じて内側に倒れ込みまた原形状に復元し得る可撓性材料からなり、術者の肘または腕の部分のみが内側に倒れ込む幅寸法で切り込みが形成されている可撓性ボード又は櫛歯状の可撓性ボードを設けてなる解剖台１のホルムアルデヒドガス局所排気システム。【選択図】図２
2006075592.tif 000002
【特許請求の範囲】
【請求項１】
解剖台局所排気システムであって、解剖台（１）の四周内側に設けた吸気開口（２）に吸込みボックス（３）の吸気口を臨ませまた、前記吸込みボックス（３）の排気側をダクト（４）を介して集合吸気ボックス（５）の吸気側に接続しさらに、前記集合吸気ボックス（５）の排気側をフレキシブルダクト（７）を介して排気ブロワに接続するとともに、解剖台（１）の四周に、少なくとも被剖検体の鉛直方向寸法最大値の高さを有し、弾性変形能を有して術者の両手の動きに応じて内側に倒れ込みまた原形状に復元し得る可撓性材料からなり、術者の肘または腕の部分のみが内側に倒れ込む幅寸法で切り込み（８１）が形成されている可撓性ボード（８）又は櫛歯状の可撓性ボードを設けてなる解剖台のホルムアルデヒドガス局所排気システム。
【請求項２】
解剖台局所排気システムであって、解剖台（２１）の四周に上面又は解剖台平面中心を指向して低位となる傾斜面に金網が張設された吸気開口（２２）を臨ませた吸込みチャンバ（２３）を形成するとともに、該吸込みチャンバ底面に吸込みダクト（２４）の開口を接続し、該吸込みダクトの排気側を集合吸気ボックス（２５）に接続しさらに、該集合吸気ボックスの排気側を排気ダクト（２７）を介して排気ブロワに接続し、一方、解剖台（２１）の四周に、少なくとも被剖検体の鉛直方向寸法最大値の高さを有し、弾性変形能を有して術者の両手の動きに応じて内側に倒れ込みまた原形状に復元し得る可撓性材料からなり、術者の肘または腕の部分のみが内側に倒れ込む幅寸法で切り込み（８１）が形成されている可撓性ボード（８）又は櫛歯状の可撓性ボードを設けてなる解剖台のホルムアルデヒドガス局所排気システム。
【発明の詳細な説明】
【技術分野】
【０００１】
本発明は、医学生の実習用解剖台において被剖検体から発散する刺激性のホルムアルデヒドガス或はホルマリン注入による遺体防腐処置時に拡散するホルムアルデヒドガスを外部に排出する局所排気システムに関する。
【背景技術】
【０００２】
解剖実習は医学生の必須科目であり、その期間は週約１６時間で３ヶ月の長きに亘る。被剖検体は、献体者の死後、１０％ホルマリンを約６リットル（全身の血液量に相当）が動脈から注入されて防腐処理が施された後、７０％アルコールに長期間浸漬される。而して、解剖実習に際しては、解剖者（実習生）は病原菌やウィルスによる感染の危険性はきわめて低いけれども、解剖中に被剖検体から発散される高濃度のホルムアルデヒドガスに長時間曝されることになる。しかも、実習室では多くの医学生、たとえば１００人の医学生が４人１組で２５基の解剖台で被剖検体の解剖を行うから、実習室内のホルムアルデヒドガスの濃度は異常に高くなる。また、防腐処置を施すべく遺体に注入するホルマリンの一部が拡散し、環境のホルムアルデヒドガスの濃度を高めることがある。
【０００３】
従来、解剖実習室内のホルムアルデヒドガスの高濃度化を抑えるためには、窓を開放したり換気扇で室外に空気を送り出したりしている。そのため、空調の効果を低減させ解剖実習環境を悪化させている。遺体に防腐処置を施すときも然りである。一方、ホルムアルデヒドガスの有害性が問題として取り上げられ、厚生労働省、文部科学省から示されたガイドラインによれば、特定作業環境において２５０ｐｐｂ以下、一般家庭環境において８０ｐｐｂ以下であることを要する。
【０００４】
被剖検体から発散されるホルムアルデヒドガスを除去する手段として、ホルマリンに浸漬されていた被剖検体の載置台および解剖台を配置した実習室の空気を浄化する方法において、ホルマリンを分解する光触媒を収納した光触媒収納部およびこの光触媒収納部を通過した空気中の残余のホルマリンを吸着するための吸着剤を収納する吸着剤収納部を備え、実習室内の空気を吸引し光触媒収納部および吸着剤収納部に通過させる送風装置を備えた複数の空気浄化装置を、実習室の対向する壁側に適宜間隔で配置した実習室の空気浄化方法および装置が知られている（たとえば、特許文献１参照）。
【特許文献１】特開２００３−３２０２２０号公報
【０００５】
また、被剖検体から発散されるホルムアルデヒドガスを除去する手段として、解剖台の近傍に設けられる作業台であってガス除去装置を伴っており、このガス除去装置は側壁に空気吸い込み口を有し、空気中のホルムアルデヒドガスを除去すべく機能する解剖実習用作業台が既知である（たとえば、特許文献２参照）。
【特許文献２】特開２００３−１１６８５９号公報
【発明の開示】
【発明が解決しようとする課題】
【０００６】
しかしながら、上記特許文献１に開示の先行技術による場合、実習室全体のホルムアルデヒドガス濃度が低下するとしても、被剖検体近傍で解剖を行っている実習生は、被剖検体から発散される高濃度のホルムアルデヒドガスに直接的に曝されることとなり、本質的な問題の解決とはなり難い。また、実習室の全体換気によるときは、ホルムアルデヒドガス濃度は１ｐｐｍ（１０００ｐｐｂ）以上となることが多い。さらに、ホルムアルデヒドガスの吸引効率を上げるためには風量を増加させなければならないが、空気浄化装置の空塔速度が高くなるため光触媒収納部および吸着剤収納部との接触時間が短くなり、有効な空気浄化ができなくなる。また、吸着剤の交換などのためにメインテナンスコストが高くなる。
【０００７】
また、特許文献２に開示の先行技術によるときは、解剖実習時に被剖検体から発散される高濃度のホルムアルデヒドガスが除去装置によって吸引される以前に拡散し解剖実習生がホルムアルデヒドガスに曝露されることを防止できない。
【０００８】
本発明は、解剖実習時に剖検者（解剖実習生）または遺体処置者が、常に８０ｐｐｂ以下のホルムアルデヒドガス濃度の下で解剖を遂行できる解剖台のホルムアルデヒドガス局所排気システムを提供することを目的とする。
【課題を解決するための手段】
【０００９】
上記課題を解決するための請求項１に記載の発明は、解剖台局所排気システムであって、解剖台の四周内側に設けた吸気開口に吸込みボックスの吸気口を臨ませまた、前記吸込みボックスの排気側をダクトを介して集合吸気ボックスの吸気側に接続しさらに、前記集合吸気ボックスの排気側をフレキシブルダクトを介して排気ブロワに接続するとともに、解剖台の四周に、少なくとも被剖検体の鉛直方向寸法最大値の高さを有し、弾性変形能を有して術者の両手の動きに応じて内側に倒れ込みまた原形状に復元し得る可撓性材料からなり、術者の肘または腕の部分のみが内側に倒れ込む幅寸法で切り込みが形成されている可撓性ボード又は櫛歯状の可撓性ボードを設けてなる解剖台のホルムアルデヒドガス局所排気システムである。請求項１に記載の発明は、既設解剖台を改造して本発明の局所排気システムを装備するのに好適である。
【００１０】
請求項２に記載の発明は、解剖台局所排気システムであって、解剖台の四周に上面又は解剖台平面中心を指向して低位となる傾斜面に金網が張設された吸気開口を臨ませた吸込みチャンバを形成するとともに、該吸込みチャンバ底面に吸込みダクトの開口を接続し、該吸込みダクトの排気側を集合吸気ボックスに接続しさらに、該集合吸気ボックスの排気側を排気ダクトを介して排気ブロワに接続し、一方、解剖台の四周に、少なくとも被剖検体の鉛直方向寸法最大値の高さを有し、弾性変形能を有して術者の両手の動きに応じて内側に倒れ込みまた原形状に復元し得る可撓性材料からなり、術者の肘または腕の部分のみが内側に倒れ込む幅寸法で切り込みが形成されている可撓性ボード又は櫛歯状の可撓性ボードを設けてなる解剖台のホルムアルデヒドガス局所排気システムである。請求項３に記載の発明は、本発明の局所排気システムを装備した解剖台を新設するときに好適に実施され得る。
【発明の効果】
【００１１】
請求項１に記載の局所換気システムは既存の解剖台にそのまま装着でき、既存の解剖台を利用できる。また、解剖台四周に植設される可撓性ボードは、可撓性を有するとともに復元性がある材質で構成されており、両手を使用する解剖実習の妨げになることがない。可撓性ボードは、解剖者の両手（肘、腕）の部分のみで内側に倒れ込み、被剖検体から両手を離せば復元する。さらに、解剖実習室全体の空調に影響する処がなく、フィルタや吸着剤を使用しないのでメインテナンス費用を要することなく、解剖者の環境は常時ホルムアルデヒドガス濃度が８０ｐｐｂ以下といった健康的な水準に維持される。
【００１２】
請求項２に記載の発明によれば、解剖者（術者）の環境を、常時ホルムアルデヒドガス濃度が８０ｐｐｂ以下といった健康的な水準に維持し得るとともに、吸気開口を平面または解剖台平面中心を指向して低位となる傾斜面として解剖台の同じ高さレベルとすることができるから、人間工学的に優れたものとなり、術者の剖出作業を容易ならしめる効果を奏する。
【発明を実施するための最良の形態】
【００１３】
以下に、本発明をその好ましい実施形態に則して説明する。
本発明は、被剖検体の解剖時に発散するホルムアルデヒドガスを、解剖者又は遺体処置者がそれに曝露されることなく排気するためには局所排気がきわめて有効であり、解剖台四周に少なくとも解剖台上の被剖検体の鉛直方向最大寸法に等しい高さを有する可撓性ボードを設けることで被剖検体の解剖時に発散するホルムアルデヒドガスの殆どを解剖者又は遺体処置者が曝露されることなく排気できるという発明者らの知見に基づいてなされた。
【００１４】
一方、解剖実習はたとえば１基の解剖台に実習生が４名宛配置されて遂行される。而して、解剖作業は４人の実習生の両手が自由に使える状態で遂行できることが望ましい。遺体に防腐処置を施す場合も同様である。そこで本発明においては、解剖台四周に植設され解剖台上の少なくとも被剖検体の鉛直方向最大寸法に等しい高さまでを囲繞するボードの材質を、たとえば発泡ウレタン樹脂といった、可撓性（弾性変形能）を有するものとするとともに、変形の原因（力）が除かれると原形状に復元する材質で構成しさらに、解剖者が術を行うときの両手、肘または腕の部分の可撓性ボードのみが内側に倒れ込み、術後復元するように適宜寸法（間隔）で鉛直方向に切れ目（スリット）を刻設している。可撓性ボードは櫛歯状であってもよい。さらに、可撓性ボードの面に垂直な縦断面形状を台形状即ち、基部を厚く、先端部を薄くすることによって弾性復元力を大きくすることができる。
【実施例１】
【００１５】
図１乃至図４に、本発明の一実施例に係る解剖台のホルムアルデヒドガス局所排気システムを示す。図１は本発明の一実施例に係る解剖台のホルムアルデヒドガス局所排気システムの正面図、図２は平面図、図３は側面図、図４（ａ）、（ｂ）は吸気開口および吸込みボックスの部分拡大図である。
【００１６】
図１乃至図４において、１は解剖台であって、この実施例においてはステンレス鋼製である。吸気開口２は、この実施例においては、図１乃至図３に示すように、解剖台１の四周に配設され、図４（ａ）、（ｂ）に示すように、開口面が鉛直となっておりステンレス鋼製の金網が着脱自在に装着されている。３は吸込みボックスであり、平面矩形状の解剖台１の両側部ならびに頭部側および脚部側の四箇所に配設され、その縦断面は、図４（ａ）、（ｂ）に示すように、吸込み口が吸気開口２に臨んでいる。吸込みボックス３もこの実施例においてはステンレス鋼製である。そして、その排気側は、図１乃至図４（ａ）、（ｂ）に示すように、ステンレス鋼製のダクト４を介して集合吸気ボックス５に接続されている。この実施例においては、集合吸気ボックス５もステンレス鋼で構成されている。可撓性ボード８の設置位置は、吸込みボックス３の内側（図４（ｂ）に示す吸気開口２の直上）でも外側（図４（ａ）に示す位置）でも構わない。或いは、図４（ｂ）に示すように、内外双方に可撓性ボード８、８’を設けてもよい。
【００１７】
集合吸気ボックス５の存在により、解剖台１の両側部ならびに頭部側および脚部側の四箇所の吸込みボックス３から均一にホルムアルデヒドガスを含む空気を吸引することができるとともに、吸引に伴う圧力損失を小ならしめている。
【００１８】
集合吸気ボックス５の解剖台１長さ方向における一端は、図１および図２に示すように、風量調節ダンパ６を介してたとえば塩化ビニル製のフレキシブルダクト７によって図示しない排気用ブロワに接続され、強制排気される。この実施例においては、解剖実習室の全体換気用の既存のブロワ（排気能力：２５０ｍ３／分前後）を局所排気用（解剖台１台当り８.１０ｍ３／分）として用いるようにしているから能力的に十分であり、局所排気用に新たにブロワを設ける必要がない。また、ホルムアルデヒドガスを含む空気の排気を行っても空調（冷暖房）に影響を与えない。
【００１９】
８は可撓性ボードであって、この実施例においては、厚さ：３ｍｍ〜１０ｍｍ、高さ：２００ｍｍであり、発泡ウレタン製である。可撓性ボード８は解剖台１の四周に植設され、被剖検体を囲繞している。可撓性ボード８には、４人の解剖実習生が両手を使って解剖を行うときに支障とならないように、この実施例においては２００ｍｍのピッチで切れ目（スリット）８１が刻設されている。可撓性ボード８に刻設されるスリット８１は、ピッチ：２００ｍｍに限ることなく復元力が十分なディメンジョンおよび材質であれば、櫛歯状のものであってもよい。また、可撓性ボード８は、この実施例においては、その基部において所定の高さ部分をゴム板で挟持・固定するようにしている。こうすることによって形状復元性がより良好となる。
【００２０】
可撓性ボード８は、図４（ｂ）に示すように、吸気開口２の上部に位置する部位に二重に植設することもできる。また、可撓性ボード８の面に垂直な方向の縦断面形状を台形状即ち、基部を厚く、先端部を薄くする形状とすれば、復元性をより良好ならしめ得る。
【００２１】
図１乃至図３において、９は排水ホース、１０はキャスタであって解剖台の移動を便ならしめる。
【実施例２】
【００２２】
図５乃至図９に、本発明の他の実施例に係る解剖台のホルムアルデヒドガス局所排気システムを示す。図５は本発明の他の実施例に係る解剖台のホルムアルデヒドガス局所排気システムの平面図、図６は、図５におけるＡ−Ａ断面図、図７は、図６におけるＢ−Ｂ断面図である。
【００２３】
図５乃至図７において、２１は解剖台であって、この実施例においては、ステンレス鋼（ＳＵＳ３０４）製である。吸気開口２２は、この実施例においては、図５乃至図７ならびに図９に示すように、解剖台２１の四周に配設され、解剖台２１の平面中心を指向して低位となる緩斜面となっており、幅が８０ｍｍである。吸気開口２２には金網が張設されており、この実施例においては、ステンレス鋼（ＳＵＳ３０４）板に５ｍｍ幅で３０ｍｍ長さの長丸孔を多数打ち抜いた金網を用いている。吸気開口２２は、図８に示すように、水平面であっても勿論よい。前記ステンレス鋼（ＳＵＳ３０４）製の金網は、着脱自在に装着されている。２３は吸込みチャンバであって、その上部平面に解剖台が形成されるとともに、その四周において吸気開口２２が外気に臨んで連通している。
【００２４】
２４は吸込みダクトであり、この実施例においては、図５および図６ならびに図８および図９に示すように、２００ｍｍ内径のステンレス鋼製ダクトが２箇所で吸込みチャンバ２３底面と集合吸気ボックス２５とを連通・接続している。集合吸気ボックス２５の平面中央部かつ底面において、排気ダクト２７が接続され、排気ダクト２７は図示しない排気ブロワに接続され強制排気されている。吸込みチャンバ２３および集合吸気ボックス２５の存在により、解剖台２１の両側部ならびに頭部側および脚部側四箇所の吸気開口２２から均一にホルムアルデヒドガスを含む空気を吸引することができるとともに、吸引に伴う圧力損失を小ならしめている。
【００２５】
この実施例においては、解剖実習室全体換気用の既存のブロワ（換気能力：２５０ｍ３／分）を局所排気用（解剖台１台当り８．１ｍ３／分）として用いるようにしているから能力的に十分であり、局所排気用に新たにブロワを設ける必要がない。また、ホルムアルデヒドガスを含む空気の排気を行っても空調（冷暖房）に影響を与えない。
【００２６】
８は可撓性ボードであって、この実施例においては、厚さ：３ｍｍ〜１０ｍｍ、高さ：２００ｍｍであり、発泡ウレタン製である。可撓性ボード８は解剖台１の四周に植設され、被剖検体を囲繞している。可撓性ボード８には、４人の解剖実習生が両手を使って解剖を行うときに支障とならないように、この実施例においては２００ｍｍのピッチで切れ目（スリット）８１が刻設されている。可撓性ボード８に刻設されるスリット８１は、ピッチ：２００ｍｍに限ることなく復元力が十分なディメンジョンおよび材質であれば、櫛歯状のものであってもよい。また、可撓性ボード８は、この実施例においては、その基部において所定の高さ部分をゴム板で挟持・固定するようにしている。こうすることによって形状復元性がより良好となる。さらに、可撓性ボード８を透明なものとして、被剖検体を見やすくすることもできる。
【００２７】
また、可撓性ボード８の面に垂直な方向の縦断面形状を台形状即ち、基部を厚く、先端部を薄くする形状とすれば、復元性をより良好ならしめ得る。
【００２８】
図５乃至図７において、２８は排水栓、２９は排水ホースである。３０はキャスタであって、解剖台２１の移動に便ならしめている。３１はポットであり、排水ホース２９からの排水を受容する。３２はルーフであってテレスコーピックにレール上を移動でき、解剖台２１の不使用時に解剖台２１を覆う。
【００２９】
図１０に、本発明の実施例１および実施例２に係る解剖台のホルムアルデヒドガス局所排気システムを用いた場合と、既存の解剖実習室全体換気システムに切換え使用したときの解剖台における解剖実習生近傍のホルムアルデヒドガス濃度の推移を示す。
【００３０】
図１０は、本発明を用いたときのホルムアルデヒドガス濃度の測定結果である。１）可撓性ボードの外側で着座している解剖実習生の鼻口部の位置（解剖実習台の床面から４５ｃｍの高さ）でのホルムアルデヒドガス濃度（ｐｐｂ）と、２）可撓性ボード内でホルムアルデヒドガスを発散している被剖検体に近い位置（解剖実習台の床面から１０ｃｍの高さ）でのホルムアルデヒドガス濃度（ｐｐｂ）を示す。図１０における両者の比較から、局所排気システム作動中、ホルムアルデヒドガスの可撓性ボード外への拡散は阻止されており、可撓性ボードの外側にいる解剖実習生の鼻口部の高さに当たる位置でのホルムアルデヒドガスの濃度は、８０ｐｐｂ以下で推移している。これに対し、３）局所排気システムを停止して既存の解剖実習室全体換気システムのみを使用したときのホルムアルデヒドガス濃度は、同様の位置において、３００ｐｐｂおよび１０００ｐｐｂで推移している。
【図面の簡単な説明】
【００３１】
【図１】本発明の一実施例に係る解剖台のホルムアルデヒドガス局所排気システムの正面図
【図２】本発明の一実施例に係る解剖台のホルムアルデヒドガス局所排気システムの平面図
【図３】本発明の一実施例に係る解剖台のホルムアルデヒドガス局所排気システムの側面図
【図４】本発明の一実施例に係る解剖台のホルムアルデヒドガス局所排気システムの吸気開口および吸込みボックスの部分拡大図、（ａ）は解剖台の外側四周に可撓性ボードを植設した実施態様、（ｂ）は解剖台の外側四周および吸気開口の真上に二重に可撓性ボードを植設した実施態様である。
【図５】本発明の他の実施例に係る解剖台のホルムアルデヒドガス局所排気システムの平面図
【図６】図５におけるＡ−Ａ断面図
【図７】図６におけるＢ−Ｂ断面図
【図８】本発明の他の実施例に係る解剖台のホルムアルデヒドガス局所排気システムの吸気開口および吸込みボックスの部分拡大図
【図９】本発明の他の実施例に係る解剖台のホルムアルデヒドガス局所排気システムの吸気開口および吸込みボックスの部分拡大図
【図１０】本発明の一実施例に係る解剖台のホルムアルデヒドガス局所排気システムを用いた場合と、既存の解剖実習室全体換気システムに切換え使用したときの解剖台における解剖実習生近傍のホルムアルデヒドガス濃度の推移を示すグラフ
【符号の説明】
【００３２】
１  解剖台
２  吸気開口
３  吸込みボックス
４  ダクト
５  集合吸気ボックス
６  風量調節ダンパ
７  フレキシブルダクト
８  可撓性ボード
８１  スリット
９  排水ホース
１０  キャスタ
２１  解剖台
２２  吸気開口
２３  吸込みチャンバ
２４  吸込みダクト
２５  集合吸気ボックス
２７  排気ダクト
２８  排水栓
２９  排水ホース
３０  キャスタ
３１  ポット
３２  ルーフ
３３  レール
【図１】
2006075592.tif 000003
【図２】
2006075592.tif 000004
【図３】
2006075592.tif 000005
【図４】
2006075592.tif 000006
【図５】
2006075592.tif 000007
【図６】
2006075592.tif 000008
【図７】
2006075592.tif 000009
【図８】
2006075592.tif 000010
【図９】
2006075592.tif 000011
【図１０】
2006075592.tif 000012